(57)【要約】  ねじが板から後退して抜けることを防止する装置および方法である。この板は骨に取り付けられるねじを受け入れるための孔を含む。取付台が孔に隣接して配置され、板の面から外に延びる。固定機構が、取付台に取り付けられ、挿入されたねじの少なくとも一部の上方に延びてねじが孔から後退して抜けることを防止するように寸法取りされる。１つの方法は孔の中にねじを挿入して骨に板を取り付けることを含む。次いで固定機構が取付台に取り付けられる。固定機構は、骨ねじの上方に延びてこのねじが後退して抜けることを防止するように寸法取りされる。
2008543381.tif 000002
【特許請求の範囲】
【請求項１】
脊椎部分に連結するように構成される板システムにおいて、
前記脊椎部分に向く第１の表面および前記脊椎部分から離れる方に向く第２の表面を有する板と、
前記第１の表面から前記第２の表面を通して、前記板を通過する孔と、
先端部および頭部を有するねじであって、前記先端部は前記脊椎部分の中に挿入されるためにあり、前記頭部は前記先端部の反対側にあり、前記頭部は上面を有する、ねじと、
前記板の前記第２の表面から延びる取付台であって、前記孔から第１の間隔に配置される取付台と、
前記ねじが前記脊椎部分から後退して抜けることを防止するように構成される保持器であって、当該保持器は、開口および外側縁部を有し、前記開口は前記取付台の上方に取り付けられるように寸法取りされ、前記外側縁部は前記ねじの一部の上方に配置され、前記骨ねじが前記脊椎部分の中に挿入された後に、前記保持具が前記取付台に取り付けられるように構成される、保持器とを備える、板システム。
【請求項２】
前記取付台が、前記板の開口に取り付けられるねじ付き軸部をさらに備える、請求項１に記載のシステム。
【請求項３】
前記取付台が減少された幅を有する切欠きを含み、前記切欠きが前記保持器の端縁を受け入れるように寸法取りされる、請求項１に記載のシステム。
【請求項４】
前記取付台の少なくとも一部に沿って延びるねじをさらに備える、請求項１に記載のシステム。
【請求項５】
開口の幅が取付台の幅よりも狭い、請求項１に記載のシステム。
【請求項６】
前記保持器は、前記保持器が前記取付台の上へ配置される場合に撓む弾性材料から構成される、請求項５に記載のシステム。
【請求項７】
前記開口の内縁から前記保持器の中に延びる複数のタブをさらに備える、請求項５に記載のシステム。
【請求項８】
前記保持器が前記ねじの上面の上方に延びる、請求項１に記載のシステム。
【請求項９】
脊椎部分に連結するように構成される板システムにおいて、
前記脊椎部分に向く第１の表面および前記脊椎部分から離れる方に向く第２の表面を有する板と、
前記第１の表面から前記第２の表面を通して、前記板を通過する第１の孔および第２の孔と、
先端部および頭部を有する少なくとも１つのねじであって、前記先端部は前記脊椎部分の中に挿入するためにあり、前記頭部は前記先端部の反対側にある、少なくとも１つのねじと、
前記板の前記第２の表面から延びる取付台であって、前記取付台は、前記第１の孔から第１の間隔に配置され、且つ前記第２の孔から第２の間隔に配置される、取付台と、
前記少なくとも１つのねじが前記脊椎部分から後退して抜けることを防止するように構成される保持器であって、当該保持器は開口および外側縁部を有し、前記取付台に前記保持器を取り付けるために前記取付台の上へ挿入される間、前記保持器が撓むように構成され、前記外側縁部は前記少なくとも１つのねじのそれぞれの一部の上方に配置され、前記骨ねじが前記脊椎部分の中に挿入された後に、前記保持器が前記取付台に取り付けられるように構成される、保持器とを備える、板システム。
【請求項１０】
前記保持器が、前記開口の内縁に位置合わせされる複数のタブおよび長細孔をさらに備える、請求項９に記載のシステム。
【請求項１１】
前記取付台が切欠きをさらに備え、当該切欠きが、前記取付台に前記保持器を取り付けるように前記開口の内縁を受け入れる、請求項９に記載のシステム。
【請求項１２】
前記取付台と前記保持器との間に配置される環状体をさらに備え、前記環状体が前記取付台に前記保持器を取り付けように機能する、請求項９に記載のシステム。
【請求項１３】
前記環状体が前記取付台の切欠きの内部に配置される、請求項１２に記載のシステム。
【請求項１４】
前記取付台の前記外側縁部にカム機構をさらに備え、前記カム機構は前記開口の内縁を受け入れて、前記取付台に前記保持器を取り付け且つ前記ねじを締め付ける、請求項９に記載のシステム。
【請求項１５】
前記取付台が、隙間によって分離される第１の部分および第２の部分を備える、請求項９に記載のシステム。
【請求項１６】
前記取付台が、前記板に脱着自在に取り付けられ、前記取付台および前記保持器が、前記板から一体として共に取り外すことができる、請求項９に記載のシステム。
【発明の詳細な説明】
【技術分野】
【０００１】
【背景技術】
【０００２】
板を脊椎部分に連結するねじのようなねじが、患者の内部に装置を固定するために使用されることが多い。この装置は骨ねじを受け入れるための孔（開口、アパーチャ）を含む。この装置は身体の内部に配置され、骨ねじは装置を固定状態に連結するように孔を通しておよび骨の中に挿入される。ねじを用いて装置に取り付ける場合の１つの潜在的な問題は、ねじが骨から後退して抜ける傾向があることである。
【０００３】
この後退して抜けることは、ねじが最初に骨の中に挿入された後の将来のいくつかの時点で生じる。矯正は通常、骨に対してねじを増し締めし、もしくはねじおよび／または装置の移動ならびに取替えを行う他の外科手術を必要とする。
【０００４】
後退防止装置は医師が使用するのに簡単であるべきである。これは、ある意味では板への取付けを容易にする装置を作ることを含む場合がある。さらに装置は、該装置が適切に取り付けられてねじの後退を効果的に防止することを医師が判断できるように構成されるべきである。
【発明の開示】
【課題を解決するための手段】
【０００５】
本出願は、ねじが板から後退して抜けることを防止する装置および方法を含む。板は、骨にこの板を取り付けるねじを受け入れるための孔を含む。取付台が孔に隣接して配置され、上記板の面から外に延びる。固定機構が、取付台に取り付けられ、挿入されたねじの少なくとも一部の上方に延びるように寸法取りされてこのねじが孔から後退して抜けることを防止する。
【０００６】
１つの方法は孔の中にねじを挿入して骨に上記板を取り付けることを含む。次いで固定機構が取付台に取り付けられる。固定機構は骨ねじの上方に延びるように寸法取りされ、ねじが後退して抜けることを防止する。固定機構は単一のねじの上方に延びることができ、またはいくつかのねじの上方に延びることができる。
【発明を実施するための最良の形態】
【０００７】
本出願は、ねじが身体の中に取り付けられた後に板から後退して抜けることを防止するために使用する装置および方法の実施形態を対象とする。板２０は、骨に取り付けるねじ５０を受け入れるための孔２１を含む。取付台（台、マウント）３０は孔２１に隣接して配置され、板２０の上面から外に延びる。固定機構４０は、取付台３０に取り付けられ、ねじ５０の少なくとも一部の上方に延びるように寸法取りされ、ねじ５０が孔２１から後退して抜けることを防止する。
【０００８】
図１は、複数の孔２１を有する板２０の１つの実施形態を示す。板２０の底面は骨の方に向いて配置され、第２の側面は骨から外方に向く。板２０は２つ以上の骨を横切って跨る伸長した長さを有する。孔２１は、図１の板２０の第１の端部に示すように２つ以上ずつの組にまとめられることができ（すなわち図１に示すような左端部）、または図１の板２０の第２の端部に示すように孤立させられ得る。窪み部２２が１つまたは複数の孔２１に隣接して配置され、孔２１の中に延びることができる。
【０００９】
窪み部２２は、下記で詳細に説明するように固定機構４０のすべてまたは一部を収容する深さを有する。取付台３０は孔２１に隣接して配置されて固定機構４０を取り付けることができる。取付台３０は窪み部２２内に配置されることができ、または非凹部表面から延びることができる。
【００１０】
取付台３０は板２０に固定機構４０を連結するための取付機構になる。図２は、頭部３１および軸部３２を有する取付台３０の１つの実施形態を示す。軸部３２はねじ切りされ、板２０のねじ付き開口２３内に嵌り合う。開口２３は板２０の厚さ全体を通過することができ（すなわち上面および底面を通過する）、または板の厚さよりも小さい深さを有することができる。一旦取り付けられると、頭部３１は窪み部２２の表面よりも高い位置に延びて固定機構４０を受け入れる。１つの実施形態では、頭部３１は板２０の表面よりも高い位置に延びる。
【００１１】
１つまたは複数のねじ５０が骨に板２０を取り付ける。ねじ５０はねじ付き軸部５１および頭部５２を含む。軸部５１は孔２１内に嵌合するように寸法取りされる。頭部５２は孔２１の端縁に接触するように寸法取りされる。１つの実施形態では、孔２１は板２０の上面でより大きな直径、およびその底面でより小さな直径を有する。このより小さな直径は軸部５１を通過させるほど十分に大きく、かつ頭部５２の通過を制限する。１つの実施形態では、頭部５２はテーパ付き部分の形状に合致するように形成される。同じタイプのねじ５０が、孔２１のそれぞれに挿入されて骨に板２０を取り付けることができ、または異なるタイプのねじ５０の組合せが、下記により詳細に説明されるように取り付け用に使用され得る。
【００１２】
固定機構の１つの実施形態が図２および図３に示される。固定機構４０は、ねじ５０の一部の上方に延びるように寸法取りされた外側縁部を有する保持器４１を備える。保持器４１は、取付台３０に取り付けられると撓む弾性材料から構成されることができる。保持器４１の中央開口４２は取付台頭部３１の上方に広がるように寸法取りされる。この開口４２は、それが頭部３１の上へ前進させられると保持器４１を撓ませる頭部３１よりも僅かに小さい。この撓みにより保持器４１は頭部３１に取り付けられた保持器４１を維持するのに十分である保持力を加える。
【００１３】
さらに頭部３１は、その周囲の一部分または全体の周りに、かつ頭部３１の頂部からある距離だけ相隔たって延びる切欠き３３を含むことができる。切欠き３３は保持器４１の内縁を受け入れるように寸法取りされる。保持器４１によって加えられる圧縮力（締付力）により保持器の内縁は切欠き３３内に着座する。他の実施形態では、接合箇所３４が頭部３１および軸部３２の交差線のところに形成される。また、この接合箇所３４も切欠き３３と同じ方法で保持器４１の内縁を受け入れるために使用され得る。
【００１４】
長細孔（スロット）４４によって形成された一連のタブ４３は、開口４２の内縁全体の一部の周りに延びることができる。図３に示すように、保持器４１はＬ形の断面形状を有する。タブ４３とＬ形の断面形状は共に、頭部３１の上へ挿入の間中保持器が撓むことを容易にする。
【００１５】
この実施形態を使用する方法は具体的な用途によって変化し得る。取付台３０を有する板２０が初めに患者の内部に配置され、ねじ５０が孔２１を通して挿入されて骨に板２０を取り付ける。保持器の開口４２は頭部３１に位置合わせされ、頭部３１の上へ下方に前進させられ、開口４２のサイズが増加して頭部３１へ圧縮力を加える。切欠き３３または接合箇所３４を有する実施形態では、保持器４１は、保持器の内縁が切欠き３３または接合箇所３４に着座するまで前進させられ得る。
【００１６】
固定機構４０の他の実施形態が図４および図５に示される。固定機構４０は中央開口４２を有する保持器４１を含む。１つまたは複数のタブ４３および長細孔４４は開口４２の端縁に沿って配置される。取付台頭部３１はタブ４３を受け入れるねじ３５を含む。開口４２は、それが頭部３１の上へ前進させられると保持器４１を撓ませる頭部３１よりも僅かに小さい。この撓みにより保持器４１は頭部３１に取り付けられた保持器４１を維持するのに十分である保持力を加える。加えて、タブ４３の内縁はねじ３５内に着座する。
【００１７】
保持器４１は、さらにその撓みを助けるように図５に示すようなＬ形の断面形状を有する。
さらにタブ４３は、さらにねじ３５の上へ保持器４１をさらに回転させるように、工具を付属させるための受け入れ凹部を形成する。したがってねじ３５は、開口４２の端縁を捕捉して保持器４１が取付台３０から取り外されることを防止し、また取付台３０に保持器４１をさらに装着させるように保持器４１の回転を可能にする。
【００１８】
使用時に、板２０が患者の内部に配置され、ねじ５０が骨に取り付けるために挿入される。次いで、保持器４１は取付台３０の上へ前進させられ、開口４２は取付台頭部３１の上へ嵌合するように撓まされる。この時点で、保持器４１はねじ５０と接触していても接触していなくてもよい。さらに保持器４１は頭部３１のねじ３５の上へ回転させられて、さらに頭部３１の上へ保持器４１を移動させる。保持器４１は、保持器に取り付けられた工具で、または医師による手で回転させられ得る。１つの実施形態では、保持器４１は、それが接触してねじ５０に下方への保持力を加えるまで取付台３０の周りで回転させられる。
【００１９】
固定機構４０の他の実施形態が図６および図７に示される。保持機構４０は環状体４５および保持器４１を含む。環状体４５は保持器４１と取付台３０との間に連結箇所を形成する。１つの実施形態では、環状体４５はＣ字形の本体を有するスナップリングであり、このスナップリングは周りに嵌合し、頭部３１に圧縮力を加えるように撓まされる。さらに頭部３１に配置された環状体４５を維持するために、頭部３１は、環状体４５の内縁を受け入れるように寸法取りされた切欠き３３を含むことができる。さらに切欠き３３は、保持器４１が取り付けられた場合に環状体４５が頭部３１に沿って滑ることを防止する。
【００２０】
保持器４１は頭部３１の周りに嵌合するように寸法取りされた中央開口４２を含む。ねじ４６は開口４２の内縁の周りに延び、保持器４１が取付台３０に取り付けられると環状体４５の外側縁部と相互に作用する。保持器４１は用途によって可撓性材料、または剛性材料から構成され得る。
【００２１】
使用時に、環状体４５は、板２０が患者の中に挿入される前に取付台３０に取り付けられ得る。板２０が患者の中に配置され、ねじ５０は骨に板２０を取り付けるように挿入される。次いで、保持器４１は取付台３０の上へ前進させられ、環状体４５によって連結される。１つの実施形態では、保持器４１は剛性材料であり、環状体４５は、保持器４１が取付台３０の上へ前進させられるにつれて切欠き３３の中に内向きに撓まされる。
【００２２】
ねじ４６が環状体４５に位置合わせされると、環状体４５はその最初の形状に向かって外向きにもとへ戻り、ばね４６内に着座する。図７に最も良く示されるように、その上、環状体４５の内縁は切欠き３３内に着座し、外側縁部はねじ４６内に着座する。他の実施形態では、保持器４１と環状体４５は共に、保持器４１が取付台３０の上へ前進させられるにつれて撓む。また、環状体４５も最初に保持器４１に取り付けられることができ、双方は上述のような類似の技術で取付台３０の上へ前進させられる。
【００２３】
図８および図９は、取付台３０および固定機構４０の他の実施形態を示す。取付台３０は隙間３６によって分離された第１の部分および第２の部分を有する分割頭部３１を含む。隙間３６は、頭部３１の一部分だけを、または頭部３１の全体を通して、あるいは軸部３２の中に延びる深さを有することができる。さらに、ねじ３５が頭部３１の外部に配置される。固定機構４０は、ねじ４６を備える中央開口４２を有する保持器４１を含む。使用の間中、保持器４１は、頭部３１が内向きに圧縮され（締め付けられ）それによって隙間３６の幅を減少する頭部３１の上へ前進させられる。保持器４１によって加えられた力は、ある距離だけ頭部の上へ前進させられ、次いで、追加として回転されて取付台の上へさらに移動し、ねじ５０に保持力を加えることができる。
【００２４】
保持器４１の回転は、受け部４８内に取り付ける工具によって引き起こされる。
他の取付台３０および固定機構４０の実施形態が図１０、図１１、および図１２に示される。取付台３０は頭部３１の周りに延びる単一のねじ３５を含む。頭部３１は、第２の側部３９ｂよりも実質的により直線的である第１の側部３９ａを備える概ね細長い形状を有する。保持器４１は、頭部３１におおよそ対応する概ね細長い形状を有する中央開口４２を有する。開口４２は、第２の端縁４９ｂよりも実質的により直線的である端縁４９ａを含む。１つの実施形態では、開口４２は、それが頭部３１の上へ前進させられると保持器４１を撓ませる頭部３１よりも小さい。
【００２５】
使用時に、ねじ５０は骨に板２０を取り付けるように挿入される。次いで、保持器４１は頭部３１の上へ前進させられる。保持器４１の長形端縁４９ａは頭部３１の長形側部３９ａに概ね位置合わせされ、第２の端縁４９ｂは第２の側部３９ｂに概ね位置合わせする。１つの実施形態では、開口４２は、頭部３１よりも小さく拡張しそれによって取付台３０の上へ保持力を加える。
【００２６】
さらに保持器４１は、頭部３１のねじ３５に沿って進行する端縁４９ａおよび端縁４９ｂと共にさらに回転させられて、取付台３０の上へ保持器４１をさらに移動する。他の実施形態では、開口４２は頭部３１と同じ大きさ、または頭部３１よりも僅かに大きい。開口４２は頭部に位置合わせされ、次いで回転され、端縁４９ａおよび端縁４９ｂはねじ３５に沿って進行し、さらに頭部３１の上へ引っ張られる。
【００２７】
上述の実施形態では、取付台３０は、患者の中へ板２０を挿入する前に板２０に取り付けられ得る。図１に示す１つの実施形態では、板２０および取付台３０は単一ピース構造で構成される。２ピース構造では、取付台３０は製造の間に、または医療手技の時点で板２０に取り付けられ得る。
【００２８】
保持器４１は、それが取付台３０に取り付けられる際、ねじ５０と接触していても接触していなくてもよい。１つの実施形態では、空間が保持器４１とねじ頭部５２の頂部との間に存在し得る。ねじ５０が骨から後退して抜け始めると、ねじ頭部５２は、さらに後退して抜けることを防止する保持器４１と接触する。他の実施形態では、保持器４１は、取付台３０に取り付けられるとねじ頭部５２と接触している。１つの取付台の実施形態では、保持器４１は、保持器４１がねじ頭部５２と接触するまで取付台の上へ前進させられる。次いで、保持器４１は取付台頭部３１のねじの上へさらに回転させられて、取付台３０の上へ保持器４１をさらに移動し、ねじ頭部５２により大きな圧縮力を加える。この力は板２０に対してねじ５０を保持し、後退して抜けることを防止する。
【００２９】
これらの実施形態では、医師は、頭部３１に対して保持器４１の位置を視覚的に観察できる場合がある。この視覚的な確認により保持器４１は取付台３０に適切に取り付けられ、ねじ５０の上方に延びて、後退して抜けることを防止することが確実になる。また、医師は、保持器４１の適切な取り付けを確保するように触覚フィードバックを有することもできる。このフィードバックは、図２の実施形態のように、および図４の実施形態のようなタブ４３の撓みのように、開口４２が取付台頭部３１の上方へ撓まされると、開口４２の拡張を感じることを含み得る。また、触覚フィードバックは、図６の実施形態の保持器のねじ４６内に着座する環状体４５、または図１０のねじ３５内に着座する環状体４１の外側縁部のようにスナップ動作によって感じられ得る。また、触覚フィードバックは、保持器４１がねじ頭部５２の上へ下向きに前進させられると起り得る。
【００３０】
保持器４１は取付台３０の上へ取り付けられるが、ねじ５０は骨から取り外されることができない場合がある。いくつかの実施形態では、取り外しには取付台３０から取り外される固定機構４０が求められる。これは、取付台３０からねじ山が付いていないかそうでない、取り外されている保持器４１によって起り得る。一旦保持器４１が取り除かれると、ねじ５０は骨から取り除かれ得る。他の実施形態では、取付台３０は板２０からねじ山が付いておらず、保持器４１はねじ５０から離れて持ち上げられる。
【００３１】
いくつかの実施形態では、受け部４８は、図８に示すような保持器４１を回転させる工具を受け入れることができる保持器４１の上面に配置される。受け部４８は、単一の工具を受け入れる部分を含むことができ、または開口４２の対向する側部にオフセット工具を受け入れる部分を含むことができる。
【００３２】
上述のいくつかの実施形態では、保持器４１は取付台頭部３１に螺合される。他の実施形態では、保持器４１および取付台頭部３１の１つまたは両方は、ねじ４６の代わりに一連の平行な凹部および歯を含む。保持器４１は取付台頭部３１の上へ前進させられ、凹部および歯は保持器４１が頭部３１と嵌り合うとラチェッティング動作を生じる。図７の実施形態を使用する例示として、保持器４１は、環状体４５の外側縁部を収容するように寸法取りされた一連の歯および凹部を含む。保持器４１が取付台頭部３１の上へ前進させられると、環状体４５は歯が通過するにつれて内向きに圧縮され、次いで凹部の中に外向きに拡張する。
【００３３】
取付台３０は、保持器４１がねじ５０の一部分の上方に延びるように配置される。この部分はねじ頭部５２の上面、またはねじ５０の若干の他の部分を含む。例示として、図３はねじ頭部５２の端縁のへり５３の上方に延びる保持器４１を示す。保持器４１がねじ５０の上方に延びる量は、ねじが骨から後退して抜けることを防止するのに適切なものである。これは限られた量の重なり合う部分、または広範囲な量の重なり合う部分を含み得る。
【００３４】
保持器４１は、単一のねじ５０、または複数のねじ５０の上方に延びるように配置され得る。図１の右端部の実施形態では、取付台３０は孔２１の上方に延びる保持器４１を受け入れるように配置される。他の図示された実施形態では、取付台３０は保持器４１が２つ以上の孔２１の上方に延びるように配置される。
【００３５】
取付台３０は、保持器４１が２つ以上のねじ５０の部分の上方に延びるように２つの孔２１に対して配置され得る。１つの実施形態では、取付台３０は、保持器４１がねじ頭部５２のそれぞれの上方に等しい量だけ延びるように複数の孔２１の間の中央に置かれる。他の実施形態では、取付台３０は孔２１から離れて異なる距離に配置され、保持器４１はそれぞれのねじ頭部５２の上方に等しい量だけ延びない。
【００３６】
取付台３０は様々な方法で板２０に取り付けることができる。１つの実施形態では、取付台３０は板２０に開口２３を係合するねじ付き軸部３２を含む。また、取付台３０は接着剤、溶接、スナップロック、その他によって取り付けられ得る。
【００３７】
さらに、単一の板２０に取り付けられた異なる取付台３０が異なる手段によって取り付けられ得る。例示として、第１の取付台はねじ付き軸部３２によって取り付けられることができ、第２の取付台は末端から延びる足部を備えた圧縮可能な軸部を有することができ、この末端は板２０の底面にパチンと嵌まる。
【００３８】
保持器４１は山形の断面形状を有することができる。これは、保持器の開口４２の拡張を可能にすることによって、ならびに保持器４１がねじ頭部５２の上へ圧縮されると湾曲することによって挿入の間中ずっと撓みを容易にする。他の実施形態では、保持器４１は実質的に平坦である。
【００３９】
板２０および固定機構４０についての１つの用途は、２つ以上の脊椎部分の取付け用である。また他の用途も可能であり、この実施形態の範囲内と考えられる。
図２および図３に示すような固定角度ねじおよび可変角度ねじのような様々なねじ５０がこれらの実施形態に使用され得る。固定角度ねじ（板２０の左側に示される）は、ねじ５２と軸部５１との間に中間部を含む。頭部５２は、上面と中間部との間に上面および球面を含む。固定角度ねじ５０は孔２１を通って延び、球面は孔２１の対応する球面と接触する。一旦ねじ５０が完全に着座されると、中間部の直径は孔の幅に近づいて据わりのよい関係を与え、その結果ねじ５０は板２０に対して枢動または移動することはできない。また、可変角度ねじ（板２０の右側に示される）も頭部５２と軸部５１との間に配置された中間部を含む。頭部５２は上面と中間部との間に配置された球面を含む。可変角度ねじの中間部は固定角度ねじの中間部よりも狭い。一旦孔２１に着座されると、中間部は孔２１の端縁から内方に隔てられる。したがって、頭部の球面が孔２１の対応する球面内に着座されると、可変角度ねじ５０は、板２０に対しておよび孔２１の軸線に対して、角を付けられる（角度を形成する）ことができる。角形成の程度は中間部のサイズおよび孔２１のサイズによって決められる。さらに、ねじ５０は、孔２１の軸線に対して様々な角度で伝えられる。固定角度ねじおよび可変角度ねじの実施形態は、米国特許第６６６９７００号に開示され、その全体が参照により本明細書に組み込まれている。
【００４０】
１つの実施形態では、保持器４１は取付台３０に取り付けられる。次いで、取り付けられた保持器４１を備える取付台３０が板２０の中にさらに回転させられて、ねじ５０に対して保持器４１をさらに前進させる。見直しの間、保持器４１は取付台３０に取り付けられたままであり、また、板から取付台３０を取り外すことによって保持器４１も取り外すことができる。
【００４１】
本発明は、本発明の範囲および主要な特徴から逸脱することなく本明細書において記載された方法以外の他の特定の方法で実施され得る。したがって、本実施形態は、すべての点で例示であり限定的なものではないと考えられるべきであり、添付の請求の範囲の趣旨および均等範囲に入るすべての変更はその中に包含されることが意図される。
【図面の簡単な説明】
【００４２】
【図１】本発明の１つの実施形態による複数の孔および取付台を有する板の透視図である。
【図２】本発明の１つの実施形態による固定機構を示す分解図である。
【図３】図２に示す固定機構の断面図である。
【図４】本発明の１つの実施形態による固定機構を示す分解図である。
【図５】図４に示す固定機構の断面図である。
【図６】本発明の１つの実施形態による固定機構を示す分解図である。
【図７】図６に示す固定機構の断面図である。
【図８】本発明の１つの実施形態による固定機構を示す分解図である。
【図９】図８に示す固定機構の断面図である。
【図１０】本発明の１つの実施形態による固定機構を示す分解図である。
【図１１】図１０に示す固定機構の断面図である。
【図１２】本発明の１つの実施形態による取付台の側面図である。
【図１】
2008543381.tif 000003
【図２】
2008543381.tif 000004
【図３】
2008543381.tif 000005
【図４】
2008543381.tif 000006
【図５】
2008543381.tif 000007
【図６】
2008543381.tif 000008
【図７】
2008543381.tif 000009
【図８】
2008543381.tif 000010
【図９】
2008543381.tif 000011
【図１０】
2008543381.tif 000012
【図１１】
2008543381.tif 000013
【図１２】
2008543381.tif 000014
【国際調査報告】
2008543381.tif 000015
2008543381.tif 000016
2008543381.tif 000017
2008543381.tif 000018